(57)【特許請求の範囲】
【請求項１】
システムを制御する制御ユニット基板が収容された制御ユニットと、ボタン電話機能を実現する機能ユニット基板が収容された機能ユニットとを有するボタン電話装置であって、前記制御ユニット基板の片面に前記機能ユニット基板を接続するためのユニット間接続コネクタを設けると共に、前記制御ユニットのユニットケース側面に前記ユニット間接続コネクタの接続面が露出する開口部を設け、前記機能ユニット基板の両面の同じ位置に前記制御ユニット基板または別の機能ユニット基板を接続するための２つのユニット間接続コネクタを設けると共に、前記機能ユニットのユニットケース両側面に前記ユニット間接続コネクタの接続面が露出する２つの開口部を設けたことを特徴とするボタン電話装置。
【請求項２】
前記制御ユニット基板を収容したユニットケースと、前記機能ユニット基板を収容したユニットケースをほぼ同じ大きさとしてなる請求項１記載のボタン電話装置。
【発明の詳細な説明】
【０００１】
【発明の属する技術分野】
この発明はマザーボード基板を介さずに制御ユニットと機能ユニットの接続を可能にしたボタン電話装置に関する。
【０００２】
【従来の技術】
従来のボタン電話装置は、ボタン電話システムを制御する制御ユニットと、ボタン電話機能を実現する機能ユニットより構成されていて、これらを組合せることによりボタン電話装置のシステムが構築できるようになっている。
【０００３】
また従来のボタン電話装置の主装置は、図７に示すようにケースａ内にマザーボードｂが設けられていて、このマザーボードｂに設けられた複数のコネクタｃに、ボタン電話システムを制御する制御ユニットｄや、ボタン電話機能を実現する機能ユニットｅを挿入することによりボタン電話システムが構築できるようになっていて、ボタン電話主装置の電源を投入すると、制御ユニットｄはマザーボードｂを介してマザーボードｂに実装された機能ユニットｅを認識するようになっている。
【０００４】
【発明が解決しようとする課題】
しかし前記従来のボタン電話装置のように、主装置のケースａ内に設けられたマザーボードｂのコネクタｃに、機能ユニットｅを実装してシステムを構築するようにしたものでは、実装できる機能ユニットｅの数がマザーボードｂに設けられたコネクタｃの数に制御されて、大きなシステムを構築できないなどの不具合がある。
【０００５】
また逆に１枚の機能ユニットｅしか必要としないボタン電話装置の場合は、マザーボードｂ上に使用しないコネクタｃや、無駄な空間が発生して不経済であると共に、予め複数のユニットが実装できるようにケースａが大きく形成されているため、小さなシステムのボタン電話装置の場合でも、設置するのに多くのスペースを必要としたり、装置自体が大型かつ高価となるなどの不具合がある。
【０００６】
この発明はかかる従来の不具合を改善するためになされたもので、マザーボードを介さずに制御ユニットと機能ユニットを接続できるようにしたボタン電話装置を提供して、装置の小型化及び低価格化を図ることを目的とするものである。
【０００７】
【課題を解決するための手段】
この発明は前記目的を達成するため、制御ユニット基板の片面に機能ユニット基板を接続するためのユニット間接続コネクタを設けると共に、制御ユニットのユニットケース側面にユニット間接続コネクタの接続面が露出する開口部を設け、機能ユニット基板の両面の同じ位置に制御ユニット基板または別の機能ユニット基板を接続するための２つのユニット間接続コネクタを設けると共に、機能ユニットのユニットケース両側面にユニット間接続コネクタの接続面が露出する２つの開口部を設けたボタン電話装置を提供することにより、マザーボードを介さずに制御ユニットと機能ユニットを接続して、所望サイズのシステムが構築できるようにしたものである。
【０００８】
【発明の実施の形態】
この発明の請求項１に記載の発明は、システムを制御する制御ユニット基板が収容された制御ユニットと、ボタン電話機能を実現する機能ユニット基板が収容された機能ユニットとを有するボタン電話装置において、前記制御ユニット基板の片面に前記機能ユニット基板を接続するためのユニット間接続コネクタを設けると共に、前記制御ユニットのユニットケース側面に前記ユニット間接続コネクタの接続面が露出する開口部を設け、前記機能ユニット基板の両面の同じ位置に前記制御ユニット基板または別の機能ユニット基板を接続するための２つのユニット間接続コネクタを設けると共に、前記機能ユニットのユニットケース両側面に前記ユニット間接続コネクタの接続面が露出する２つの開口部を設けたものである。
【０００９】
前記構成により、マザーボードを介さずに制御ユニットと複数の機能ユニットを接続することができるため、無駄なコネクタや無駄な空間が生じることがないと共に、小さなサイズのシステムでは、装置の小型化と低価格化が図れるようになる。
【００１０】
この発明の請求項２に記載の発明は、制御ユニット基板を収容したユニットケースと、機能ユニット基板を収容したユニットケースをほぼ同じ大きさとしたものである。
【００１１】
前記構成により、制御ユニットと機能ユニットを整然と接続することができるため、少ないスペースに容易に設置できる上、無駄な空間が発生することがない。
【００１４】
以下この発明の実施の形態を図１ないし図６に示す図面を参照して詳述する。
【００１５】
図１は制御ユニットの斜視図、図２の（イ）は制御ユニットに設けられた制御ユニット基板の正面図、図２の（ロ）は同側面図、図３は機能ユニットの斜視図、図４の（イ）は機能ユニットに設けられた機能ユニット基板の正面図、図４の（ロ）は同側面図図５は制御ユニットと複数の機能ユニットを接続した状態の斜視図、図６は同正面図である。
【００１６】
これら図において１はボタン電話装置のシステムを制御する制御ユニットで、金属により形成された縦長の偏平なユニットケース１ａを有しており、このユニットケース１ａ内に制御ユニット基板２が縦方向に収容されている。
【００１７】
前記制御ユニット基板２には、ボタン電話装置のシステムを制御する電子部品（図示せず）が実装されていると共に、制御ユニット基板２の後部側片面には、機能ユニット４を接続するためのユニット間接続コネクタ３が取付けられている。
【００１８】
そしてこのユニット間接続コネクタ３は、ユニットケース１ａの側面に開口された開口部１ｂより、接続面３ａがユニットケース１ａの側面と同一平面となるように露出されている。
【００１９】
一方前記機能ユニット４は、ボタン電話装置の機能を実現する複数のユニットより構成されていて、図３に示すように制御ユニット１とほぼ同じ大きさの金属よりなるユニットケース４ａを有しており、このユニットケース４ａ内に、機能ユニット基板５が縦方向に収容されている。
【００２０】
前記機能ユニット基板５には、ボタン電話装置の機能を実現する電子部品（図示せず）が実装されていると共に、機能ユニット基板５の後部側両側面には、前記制御ユニット１や、別の機能ユニット４を接続するユニット間接続コネクタ６が取付けられている。
【００２１】
そしてこれらユニット間接続コネクタ６は、ユニットケース４ａの両側面に開口された開口部４ｂより、接続面６ａがユニットケース４ａの両側面と同一平面となるように露出されている。
【００２２】
次に前記構成されたボタン電話装置の作用を説明する。
【００２３】
１個の制御ユニット１と複数の機能ユニット４を組合せてボタン電話装置のシステムを構築するに当って、まず制御ユニット１のユニットケース１ａ側面に露出されたユニット間接続コネクタ３に、機能ユニット４のケース４ａ側面に露出する一方のユニット間接続コネクタ６を接続する。
【００２４】
次に機能ユニット４の他方のユニット間接続コネクタ６に、別の機能ユニット４の一方のユニット間接続コネクタ６を接続して、図５及び図６に示すように、制御ユニット１に複数の機能ユニット４を必要数だけ接続する。
【００２５】
これによってマザーボードを必要とせずに、制御ユニット１に複数の機能ユニット４を接続して、所望とする機能を有するボタン電話装置のシステムが容易に構築できると共に、制御ユニット基板２及び機能ユニット基板５は、各ユニット１，４毎に設けられたユニットケース１ａ，４ａにより保護されるため、従来のような制御ユニット及び複数の機能ユニットを収容するための大きなケースは必要としない。
【００２６】
【発明の効果】
この発明は以上詳述したように、制御ユニット基板の片面に機能ユニット基板を接続するためのユニット間接続コネクタを設けると共に、制御ユニットのユニットケース側面にユニット間接続コネクタの接続面が露出する開口部を設け、機能ユニット基板の両面の同じ位置に制御ユニット基板または別の機能ユニット基板を接続するための２つのユニット間接続コネクタを設けると共に、機能ユニットのユニットケース両側面にユニット間接続コネクタの接続面が露出する２つの開口部を設けたことから、マザーボードを介さずに制御ユニットと機能ユニットを接続してボタン電話システムを構築することができる。
【００２７】
これによってマザーボードが不要になると共に、ユニットを接続しない無駄なコネクタや、無駄な空間が生じることがないため、ボタン電話装置の小型化及び低価格化が図れるようになる。
【００２８】
また制御ユニットや機能ユニットのユニットケースが制御ユニット基板や、機能ユニット基板を保護するため、従来のような制御ユニットや機能ユニットを収容するための大きなケースが不要となり、これによって小さなシステムの場合、ボタン電話装置の小型化が図れると共に、少ないスペースにも容易に設置することができる。
【００２９】
さらに制御ユニットのユニットケースと、機能ユニットのユニットケースをほぼ同じ大きさにすることにより、制御ユニットと機能ユニットを整然と接続することができるため、少ないスペースに設置できる上、設置した際無駄な空間が発生することもない。
【図面の簡単な説明】
【図１】この発明の実施の形態になるボタン電話装置を構成する制御ユニットの斜視図
【図２】（イ）この発明の実施の形態になるボタン電話装置を構成する制御ユニットに設けられた制御ユニット基板の正面図
（ロ）同側面図
【図３】この発明の実施の形態になるボタン電話装置を構成する機能ユニットの斜視図
【図４】（イ）この発明の実施の形態になるボタン電話装置を構成する機能ユニットに設けられた機能ユニット基板の正面図
（ロ）同側面図
【図５】この発明の実施の形態になるボタン電話装置の作用を示す斜視図
【図６】この発明の実施の形態になるボタン電話装置の作用を示す正面図
【図７】従来のボタン電話装置の説明図
【符号の説明】
１    制御ユニット
１ａ  ユニットケース
１ｂ  開口部
２    制御ユニット基板
３    ユニット間接続コネクタ
３ａ  接続面
４    機能ユニット
４ａ  ユニットケース
４ｂ  開口部
５    機能ユニット基板
６    ユニット間接続コネクタ
６ａ  接続面
【図１】
0004165956.tif 000002
【図２】
0004165956.tif 000003
【図３】
0004165956.tif 000004
【図４】
0004165956.tif 000005
【図５】
0004165956.tif 000006
【図６】
0004165956.tif 000007
【図７】
0004165956.tif 000008